(57)【要約】      （修正有）【課題】初心者でも出隅部にコーナー材を簡単に正しい位置に取り付けることができる取付治具を提供する。【解決手段】Ｌ型のコーナー材を壁の出隅部に取り付けるための取付治具１である。そして、取付治具１は、互いに略直交する２つの押圧部２、３と、２つの押圧部２、３がそれぞれ配置される互いに略直交する２つの基板部４１、４２を有する本体部４と、基板部４１、４２のそれぞれの先端に形成される２つの切欠部４３、４４であって、Ｌ型のコーナー材の稜線部を案内する２つの切欠部と、を備えている。【選択図】図１
0003194340.tif 000002
【実用新案登録請求の範囲】
【請求項１】
Ｌ型のコーナー材を壁の出隅部に取り付けるための取付治具であって、
前記Ｌ型のコーナー材の２つの平板部を前記出隅部に隣接する前記壁面に押圧するために、互いに略直交する２つの押圧部と、
前記２つの押圧部がそれぞれ配置される互いに略直交する２つの基板部を有する本体部と、
前記基板部のそれぞれの先端に形成される２つの切欠部であって、前記Ｌ型のコーナー材の稜線部の２か所を前記出隅部に押圧するために、前記稜線部を案内する２つの切欠部と、を備えることを特徴とする、取付治具。
【請求項２】
前記２つの押圧部の間には、前記Ｌ型のコーナー材の稜線の位置に対応して、隙間が設けられることを特徴とする、請求項１に記載された取付治具。
【請求項３】
前記２つの基板部が交差する角度は、８７度から９０度となっていることを特徴とする、請求項１又は請求項２に記載された取付治具。
【考案の詳細な説明】
【技術分野】
【０００１】
本考案は、Ｌ型のコーナー材を壁面の出隅部に取り付けるための取付治具に関するものである。
【背景技術】
【０００２】
近年、建物内部の壁面を壁紙、布地、合成樹脂クロス等の壁装材で施工することが多い。この種の壁装材を貼着する場合、美麗な仕上げ外観を得るためには、下地面の凹凸をなくして平坦にしておくことが好ましい。しかし、壁材としては、凹凸の多い石膏ボ−ドや合板が使用されることが一般的であるため、特に出隅部分の仕上げは困難であった。
【０００３】
建物内部の壁面の出隅部を平坦に仕上げるために、合成樹脂製のＬ型のコーナー材を用いることがある。コーナー材は、左右の平板部が壁面にそれぞれ貼着することで取り付けられ、コーナー部の直線の稜線を形成しつつ壁面を平坦化するものである（例えば、特許文献１参照）。
【先行技術文献】
【特許文献】
【０００４】
【特許文献１】特開平９−３０２８８８号公報
【考案の概要】
【考案が解決しようとする課題】
【０００５】
しかしながら、出隅部にコーナー材を取り付ける作業には熟練が必要であり、初心者による取付けでは、コーナー材が曲がって貼着されたり撓みを生じたりする場合があった。
【０００６】
そこで、本考案は、初心者でも出隅部にコーナー材を簡単に正しい位置に取り付けることができる取付治具を提供することを目的としている。
【課題を解決するための手段】
【０００７】
前記目的を達成するために、本考案の取付治具は、Ｌ型のコーナー材を壁面の出隅部に取り付けるための取付治具であって、前記Ｌ型のコーナー材の２つの平板部を前記出隅部に隣接する前記壁面に押圧するために、互いに略直交する２つの押圧部と、前記２つの押圧部がそれぞれ配置される互いに交差する２つの基板部を有する本体部と、前記基板部のそれぞれの先端に形成される２つの切欠部であって、前記Ｌ型のコーナー材の稜線部の２か所を前記出隅部に押圧するために、前記稜線部を案内する２つの切欠部と、を備える。
【考案の効果】
【０００８】
このように、本考案の取付治具は、Ｌ型のコーナー材を壁面の出隅部に取り付けるための取付治具である。そして、互いに略直交する２つの押圧部と、２つの押圧部がそれぞれ配置される互いに交差する２つの基板部を有する本体部と、基板部のそれぞれの先端に形成される２つの切欠部であって、稜線部を案内する２つの切欠部と、を備えている。このため、はじめに２つの切欠部でコーナー材の稜線を案内しつつ押圧することによって、コーナー材を仮止めできる。その後、２つの押圧部でコーナー材の平板部を案内しつつ押圧することによって、コーナー材をしっかりと固定できる。このように１つの取付治具を用いて、初心者でも出隅部にコーナー材を簡単に正しい位置に取り付けることができる。
【図面の簡単な説明】
【０００９】
【図１】実施例の取付治具の斜視図である。
【図２】実施例の取付治具の断面図である。
【図３】切欠部の拡大図である。（ａ）は正面図であり、（ｂ）はスライド方向に見た側面図である。
【図４】施工方法の説明図である。仮止め工程を示す。
【図５】施工方法の説明図である。本固定工程を示す。
【図６】Ｌ型のコーナー材の斜視図である。
【図７】Ｌ型のコーナー材を壁に取り付けた状態を説明する断面図である。
【考案を実施するための形態】
【００１０】
以下、本考案の実施の形態について図面を参照して説明する。
【実施例】
【００１１】
（Ｌ型のコーナー材の構成）
まず、図６、７を用いて本考案の取付治具１によって取り付けられるＬ型のコーナー材８の構成を説明する。Ｌ型のコーナー材８は、図６に示すように、略直交する２枚の平板部８１、８２を有するＬ字型の部材であり、合成樹脂によって一体に成形されている。平板部８１、８２には、円形の貫通孔が複数形成されており、パテとの一体性を高めるようになっている。なお、貫通孔の形状は円形に限定されるものではなく、例えば、星形や四角形や三角形などであってもよい。
【００１２】
そして、出隅用のＬ型のコーナー部材８には、向き合った内面側に接着テープ（両面テープ）が貼り付けられており、表面の剥離紙をはがすことで壁に接着できるようにされている。
【００１３】
（取付治具の構成）
次に、図１〜３を用いて、本考案の取付治具１の構成を説明する。本考案の取付治具１は、Ｌ型のコーナー材８の２つの平板部８１、８２を出隅部９１に隣接する壁面９２、９３に押圧するために、互いに略直交する２つの押圧部２、３と、２つの押圧部２、３がそれぞれ配置される互いに略直交する２つの基板部４１、４２を有する本体部４と、基板部４１、４２のそれぞれの先端に形成される２つの切欠部４３、４４であって、Ｌ型のコーナー材８の稜線部８３の２か所を出隅部９１に押圧するために、稜線部８３を案内する２つの切欠部４３、４４と、を備えている。
【００１４】
押圧部２、３は、発泡ウレタンなどの柔軟性を有する合成樹脂等の材料によって細長い板状に形成される。各押圧部２（３）は、基板部４１（４２）に接着剤等によって接着されて固定されている。したがって、２つの押圧部２、３の前面（表面）は、基板部２、３どうしがなす角度と同一の角度をなす。
【００１５】
そして、本考案の第１の押圧部２と第２の押圧部３との間には、隙間５が設けられている。すなわち、図２に示すように、押圧部２の押圧部３に近い隅角部と、押圧部３の押圧部２に近い隅角部との間には、押圧部２、３のスライド方向に沿って細長い隙間５が形成されている。ここにおいて、スライド方向とは、図１の縦方向のことをいう。取付治具１の使用時（本固定工程）には、この隙間５に、コーナー材８の稜線部８３が嵌入する。隙間５の最適な大きさは、コーナー材の材質によって異なるが、一般的な大きさ・材質のコーナー材８を用いる場合には、３ｍｍ〜４ｍｍ程度が好ましい。
【００１６】
本体部４は、合成樹脂によって「Ｌ字型」又は「くの字型」の断面に形成される。本体部４は、互いに略直交する２つの基板部４１、４２を一体に備えている。そして、前述したように、基板部４１、４２には、向き合った面に押圧部２、３が接着されている。２つの基板部４１、４２は、一方が長く、他方が短く形成されているため、手で持ちやすくなっている（図４、５参照）。
【００１７】
本体部４の２つの基板部４１、４２のなす角度θは、略直角であることが好ましい。さらに、基板部４１、４２のなす角度θは、８７度〜９０度がより好ましく、約８９度とすることが最も好ましい。
【００１８】
本体部４の基板部４１、４２には、切欠部４３、４４が設けられている。すなわち、基板部４１、４２の内側の隅角部において、長さ方向（スライド方向）の略中央にＶ字状の切欠部４３、４４が形成されている。切欠部４３、４４は、互いを結ぶ直線（仮想の直線）が、押圧部２、３と交差しないように配置されている。取付治具１の使用時（仮止め工程）には、この両方の切欠部４３、４４に、コー材８の稜線部８３が嵌入する。
【００１９】
（施工方法）
次に、図４、５を用いて、本考案の取付治具１を用いた、Ｌ型のコーナー材８の取付手順（施工方法）について説明する。取付手順は、仮止め工程と、本固定工程とを備える。
【００２０】
まず、図４を用いて、仮止め工程について説明する。仮止め工程では、取付治具１を手で持ち、基板部４１、４２の切欠部４３、４４に、Ｌ型のコーナー材８の稜線８３を嵌合させた状態で、縦方向にスライドさせる。これにより、Ｌ型のコーナー材８を、壁面９２、９３に向かって面外方向にほとんど力を加えることなく、面内方向に押し出すことができる。さらに、Ｌ型のコーナー材８の平板部８１、８２が壁面９２、９３に沿ってスライド移動することで、出隅部９１に沿って稜線部８３を直線状に整列させた状態で仮止めできる。
【００２１】
次に、図５を用いて、本固定工程について説明する。本固定工程では、取付治具１を手で持ち、押圧部２、３をＬ型のコーナー材８の平板部８１、８２に押し当てた状態で、縦方向にスライドさせる。これにより、Ｌ型のコーナー材８を壁面８２，９３に向かって略垂直に面外方向から力を加えることができる。したがって、Ｌ型のコーナー材８を壁面９２、９３に強固に固定できる。
【００２２】
このように、仮止め工程と本固定工程とを、１つの取付治具１を用いることによって、初心者でも出隅部９１にコーナー材８を簡単に正しい位置に取り付けることができる。
【００２３】
（効果）
次に、本考案の取付治具１の奏する効果を列挙して説明する。
【００２４】
（１）このように、本考案の取付治具１は、Ｌ型のコーナー材を壁９の出隅部９１に取り付けるための取付治具１である。そして、取付治具１は、Ｌ型のコーナー材８の２つの平板部８１、８２を出隅部９１に隣接する壁面９２、９３に押圧するために、互いに略直交する２つの押圧部２、３と、２つの押圧部２、３がそれぞれ配置される互いに略直交する２つの基板部４１、４２を有する本体部４と、基板部４１、４２のそれぞれの先端に形成される２つの切欠部４３、４４であって、Ｌ型のコーナー材８の稜線部８３の２か所を出隅部９１に押圧するために、稜線部８３を案内する２つの切欠部４３、４４と、を備えている。このため、仮止め工程と本固定工程とを、１つの取付治具１を用いることによって、初心者でも出隅部９１にコーナー材８を簡単に正しい位置に取り付けることができる。
【００２５】
（２）２つの押圧部２、３の間には、Ｌ型のコーナー材８の稜線８３の位置に対応して、隙間５が設けられる。このため、押圧部２、３によって押圧したときに、隙間５内に稜線部８３が逃げることができる。すなわち、仮に隙間５がないとすれば、押圧部２、３によって基板部４１、４２を押したときに、稜線部８３が隙間（逃げ場）のない押圧部の隅角部において撓みを生じてしまうことになる。本実施例のように隙間５を設けることで、このような撓みが生じなくなる。
【００２６】
（３）２つの基板部４１、４２が交差する角度θは、８７度から９０度となっている。このため、外側から稜線部８３に向かってＬ型のコーナー材８を押圧して、稜線部８３を明瞭に形成することができる。すなわち、基板部４１、４２が鋭角に交差することで、押圧部２、３の外側によってコーナー材８の外側（稜線部８３から離れた側）をより強く押すことができるのである。
【００２７】
なお、この他の構成および作用効果については、前記実施の形態と略同様であるため説明を省略する。
【００２８】
以上、図面を参照して、本考案の実施例を詳述してきたが、具体的な構成は、この実施例に限らず、本考案の要旨を逸脱しない程度の設計的変更は、本考案に含まれる。
【符号の説明】
【００２９】
１          取付治具
２、３      押圧部
４          本体部
４１、４２  基板部
４３、４４  切欠部
５          隙間
８          Ｌ型のコーナー材
８１、８２  平板部
８３        稜線部
９          壁
９１        出隅部
９２、９３  壁面
【図１】
0003194340.tif 000003
【図２】
0003194340.tif 000004
【図３】
0003194340.tif 000005
【図４】
0003194340.tif 000006
【図５】
0003194340.tif 000007
【図６】
0003194340.tif 000008
【図７】
0003194340.tif 000009